(57)【要約】【課題】乾燥風路内に停滞した糸くずを乾燥フィルタで捕集、除去することができる洗濯乾燥機を提供することにある。【解決手段】乾燥風路の糸くずを取り除く場合、乾燥風路を流れる乾燥空気の速度を増速し、この速められた乾燥空気の流れで乾燥風路に停滞した糸くずを剥離して乾燥空気に取り込んで乾燥フィルタで捕集、除去する。乾燥風路内の捕集、除去できない糸くずを乾燥空気の速い流れに取り込むことができるので、この流れに乗った糸くずを乾燥フィルタで捕集、除去することができるようになる【選択図】図６
2013255531.tif 000002
【特許請求の範囲】
【請求項１】
洗濯物を出し入れする開口を有する外槽と、
洗濯物が収容される回転ドラムと、
前記外槽及び前記回転ドラムを収容する筐体と、
前記外槽の前記開口を開閉する開閉ドアと、
加熱源と送風ファン及び前記回転ドラムに繋がる乾燥風路を有する乾燥機構と、
前記乾燥風路に取りはずし可能に取り付けられ、前記乾燥風路を流れる空気から糸くずを除去する乾燥フィルタと、
洗濯、すすぎ、脱水及び乾燥工程の各モードを設定、実行すると共に、前記乾燥風路に停滞した糸くずを掃除するために前記乾燥風路を流れる空気の速度を速める乾燥風路掃除モードを設定、実行する制御手段と
を備えることを特徴とする洗濯乾燥機。
【請求項２】
請求項１に記載の洗濯乾燥機おいて、
前記制御手段は前記乾燥風路掃除モードを実行する場合には、前記外槽の前記開口を開閉する開閉ドアを開くと共に、前記送風ファンを駆動することを特徴とする洗濯乾燥機。
【請求項３】
請求項１に記載の洗濯乾燥機おいて、
前記制御手段は前記乾燥風路掃除モードを実行する場合には、前記外槽に繋がれ前記筐体の外部に開口した補助開口を補助開閉ドアで開くと共に、前記送風ファンを駆動することを特徴とする洗濯乾燥機。
【請求項４】
請求項２或いは請求項３のいずれかに記載の洗濯乾燥機において、
前記乾燥風路には切換弁が設けられ、前記乾燥風路掃除モードを実行する場合では前記乾燥風路は前記切換弁によって通路面積が減少されて空気の風速が速くなることを特徴とする洗濯乾燥機。
【請求項５】
請求項１に記載の洗濯乾燥機おいて、
前記制御手段は、洗濯、すすぎ、脱水及び乾燥の各工程が終了した後に前記乾燥風路掃除モードを実行することを特徴とする洗濯乾燥機。
【発明の詳細な説明】
【技術分野】
【０００１】
本発明は衣類等を洗濯した後に温度が高い空気で乾燥する洗濯乾燥機に関するものであり、特に乾燥用の空気を流す乾燥風路に糸くずを収集するフィルタを備えた洗濯乾燥機に関するものである。
【背景技術】
【０００２】
衣類を洗濯、すすぎ、及び脱水した後に、電気的なヒータやヒートポンプ等の加熱源によって加熱した乾燥空気を脱水後の衣類に吹き付けて乾燥する機能を備えた洗濯乾燥機が普及している。
【０００３】
この洗濯乾燥機は回転ドラム内を循環する乾燥空気を用いて衣類を乾燥するもので、例えば、回転ドラムの上方から吹き込んだ温度が高い空気によって衣類から水分を奪い、水蒸気を含んだ空気を回転ドラムの下方から乾燥風路に送り、この乾燥風路内で水分を凝縮して乾燥した空気に変換し再び加熱して回転ドラムに供給されるものである。
【０００４】
そして、回転ドラムは回転しながら衣類を乾燥するため、回転している衣類から糸くずが剥離して乾燥用の空気に取り込まれて乾燥風路に送られる。乾燥風路内で除湿された空気はその後に乾燥風路に設けた送風ファンによって移送されるが、その空気に含まれる糸くずは乾燥風路に設けた乾燥フィルタで捕集、除去される。
【０００５】
洗濯乾燥機の一般的な構成は、例えば特開２０１１−７２４６４号公報（特許文献１）に記載されている。
【先行技術文献】
【特許文献】
【０００６】
【特許文献１】特開２０１１−７２４６４号公報
【発明の概要】
【発明が解決しようとする課題】
【０００７】
このような乾燥フィルタを用いた洗濯乾燥機においては、使用時間が経過するにしたがって乾燥フィルタに糸くずが堆積していくが、乾燥フィルタは洗濯乾燥機から着脱可能に構成されているので、乾燥フィルタに糸くずが多く堆積すると乾燥フィルタを取り外して掃除することで堆積した糸くずを除去することができた。
【０００８】
しかしながら、糸くずは必ずしも乾燥フィルタで捕集されなく、場合によっては乾燥風路にも堆積することがある。そして、乾燥風路は乾燥フィルタと違って取り外して掃除ができる構成とはなっていなく、乾燥回数が増えるにつれ乾燥風路内に糸くずが堆積していき、この堆積部分に雑菌やカビが発生して衛生的に好ましいものではなかった。また、場合によっては乾燥空気の流通に支障をきたして乾燥時間が長くなったり、乾燥効果が低下する等の障害の要因となる恐れがあった。
【０００９】
そこで、乾燥風路に停滞した糸くずをなるべく早く剥離して乾燥フィルタにまで運んで乾燥フィルタで糸くずを捕集することが必要となってきた。
【００１０】
本発明の目的は、乾燥風路内に停滞した糸くずを乾燥フィルタで捕集、除去することができる洗濯乾燥機を提供することにある。
【課題を解決するための手段】
【００１１】
本発明の特徴は、乾燥風路の糸くずを取り除く場合は乾燥風路を流れる空気の速度を増速し、この速められた空気の流れで乾燥風路に停滞した糸くずを剥離して空気流中に取り込んで乾燥フィルタで捕集、除去する、ところにある。
【発明の効果】
【００１２】
本発明によれば、乾燥風路内に停滞した糸くずを空気の速い流れに取り込むことができるので、この流れに乗った糸くずを乾燥フィルタで捕集、除去することができるようになる。このため乾燥風路内に糸くずが堆積するのを抑制できて雑菌やカビが発生するのを少なくできるようになる。
【図面の簡単な説明】
【００１３】
【図１】本発明が適用される洗濯乾燥機の外観を示す外観斜視図である。
【図２】図１に示す洗濯乾燥機の内部構造を示す透過斜視図である。
【図３】乾燥風路の構成を示し、特に切換弁が配置された乾燥風路部分の断面図である。
【図４】切換弁の動作モードの一つである乾燥風路を連通した状態の乾燥風路部分の断面図である。
【図５】切換弁の動作モードの一つである乾燥風路を遮断して筐体内部と回転ドラムを連通した状態の乾燥風路部分の断面図である。
【図６】切換弁の動作モードの一つである回転ドラムに乾燥風路と筐体内部を連通した状態の乾燥風路部分の断面図である。
【図７】本発明の一実施例になる洗濯乾燥機の乾燥風路掃除モードのフローチャート図である。
【図８】図７に示すフローチャートが実行された時の洗濯乾燥機の開閉ドアが開かれた状態の外観斜視図である。
【図９】本発明の他の実施例になる洗濯乾燥機の乾燥風路掃除モードのフローチャート図である。
【図１０】図８に示すフローチャートが実行された時の洗濯乾燥機の補助空気開閉ドアが開かれた状態の外観斜視図である。
【発明を実施するための形態】
【００１４】
以下、本発明の実施形態について図を用いて詳細に説明するが、本発明は以下の実施形態に限定されることなく、本発明の技術的な概念の中で種々の変形例や応用例をもその範囲に含むものである。
【００１５】
図１及び図２に示すように、洗濯乾燥機１は外槽２、回転ドラム３、筐体４、開閉ドア５a、ドア開口５ｂ、ヒータ６、送風ファン７、乾燥風路８、乾燥フィルタ９、切換弁１０a、切換弁開口１０ｂ、補助開閉ドア１１a、補助開口１１ｂ、補助吸気経路１２、排水ホース１３、乾燥風路１４、噴出口１５等を備えている。尚、補助開閉ドア１１aは後述するように乾燥風路を掃除する時に開かれるようになっている。
【００１６】
そして、洗濯乾燥機１は筐体４内に配置されたに外槽２に内包された回転ドラム３が図示しない電動機によって回転される。また、洗濯に使用する水道水はこれも図示しない給水栓から給水され、外槽２内に必要な量の水道水が給水されると回転ドラム３は電動機によって回転されて衣類等の洗濯物を洗濯するものである。
【００１７】
洗濯が終了すると図示しない排水栓によって外槽２内の洗濯水が排水ホース１３から排水され、その後に回転ドラム１４が回転されて脱水が行われる。
【００１８】
洗濯、すすぎ、脱水が終了すると乾燥工程が実行され、ヒータ６や送風ファン７によって乾燥された温度が高い空気が乾燥風路８の噴出口１５から回転ドラム３内に吹き込まれ、回転ドラム３内の衣類を乾燥する。この乾燥に際しても回転ドラム３は回転されて衣類の乾燥むらを低減している。
【００１９】
ヒータ６の代わりにヒートポンプ機構を採用して良く、ヒートポンプでは乾燥用空気の除湿と加熱を行うことができる。
【００２０】
回転ドラム３内に吹き込まれた空気は乾燥風路１４に流れ込んで、この部分で除湿されて再び乾燥風路８に流れこむ。
【００２１】
乾燥工程が終了すると、開閉ドア５ａを開けて乾燥した衣類を取り出して洗濯乾燥が終了するものである。
【００２２】
以上の洗濯、すすぎ、脱水、乾燥の各工程は洗濯乾燥機１に備えられた制御装置で(図示せず)選択、実行されるものであり、各工程の詳細は既によく知られたことであるのでこれ以上の説明は省略する。
【００２３】
次に糸くずの捕集、除去であるが、図２に示すように乾燥時は回転ドラム３内の湿った空気が乾燥風路１４内を通過するときに除湿され、乾燥フィルタ９で糸くずが除去され、その後に送風ファン７によって加速され、ヒータ６で暖められて噴出口１５から回転ドラム３内の衣類に向かって噴出される。乾燥フィルタ９は糸くずが堆積すると掃除が必要なために筐体４から取り外し可能な構成とされている。
【００２４】
図３に示すように、切換弁１０ａは切換弁開口１０ｂを塞ぐ位置から乾燥風路８を塞ぐ位置まで連続的にその面積を変えるように可動する構成となっている。
【００２５】
図４は切換弁開口１０ｂを塞ぐ位置の場合を示しており、乾燥空気が乾燥風路１４から乾燥風路８に向かって通る状態を示している。つまり、回転ドラム３の上方と下方を乾燥風路１４と乾燥風路８で繋いで乾燥空気が循環する構成とされている。
【００２６】
図５は乾燥風路８を塞ぐ位置の場合を示しており、乾燥風路１４からの湿った空気は遮断され、筐体４内部の高温、低湿度の空気を切換弁開口１０ｂから乾燥風路８に取り込んで回転ドラム３に送り込む状態を示している。
【００２７】
筐体４内は回転ドラム３を回転する電動機や送風ファン７や各種機械軸受等によって熱が発生しており、この熱を筐体４外部の隙間から取り込んだ空気に移して乾燥用空気としている。これによって排熱を有効に活用するようにしている。
【００２８】
尚、図６にあるように切換弁１０ａは切換弁開口１０ｂを塞ぐ位置から乾燥風路８を塞ぐ位置の間の任意の位置をとることができる。この場合、切換弁１０ａは乾燥風路１４と切換弁開口１０ｂの空気の通り道を狭くすることができ、双方の空気の流速を上げる効果がある。
【００２９】
尚、本実施例の場合では、乾燥風路１４で凝縮された水分は排水ホース１３から排出される他に、外槽２内部の湿った空気は圧力を上げて排水ホース１３から排出される構成となっている。
【００３０】
次に、本発明の実施例である乾燥風路８や乾燥風路１４に停滞した糸くずを掃除する方法を説明する。
【実施例１】
【００３１】
図７は本発明の第１の実施形態（実施例１）になる洗濯乾燥機の“乾燥風路掃除モード”のフローチャート図であり、この乾燥風路掃除モードは先に説明した洗濯、すすぎ、脱水及び乾燥の各工程を実行する洗濯乾燥機１に内蔵された制御装置で実行されるものである。
【００３２】
この乾燥風路掃除モードは洗濯乾燥機１のシーケンスの一つであり、洗濯乾燥機１の操作パネル部に設けた乾燥風路掃除モードボタン（図示せず）を押し下げることによって起動される。
【００３３】
尚、本実施例では乾燥風路掃除モードを実行する場合では切換弁１０aは図４にある通り、乾燥風路８と乾燥風路１４を接続して空気が循環する形態で実行されるものである。
【００３４】
図７において、ステップ６０で乾燥風路掃除モードボタンが押されたどうかを判断し、乾燥風路掃除モードボタンが押されたと判断するとステップ６１に進み、そうでないとステップ６０に戻って乾燥風路掃除モードボタンが押されたどうかを監視する。
【００３５】
ステップ６０で乾燥風路掃除モードボタンが押されたと判断されると、ステップ６１では洗濯燥機１のドア開口５ｂを塞いでいる開閉ドア５aを開けるようにする。図８に洗濯乾燥機の開閉ドア５aが開かれた状態を示している。
【００３６】
開閉ドア５aは電磁機構を利用した開閉機構を用いて開けられるように構成されており、制御装置から駆動信号がくると電磁機構が作動して開閉ドア５aを開けることができる。尚、この開閉機構を用いない場合は音声案内装置によって、「乾燥風路掃除モードを実行します。開閉ドアを開けてください。」といった案内報知を行うことによって、使用者に開閉ドア５aを開いてもらうようにしても良い。
【００３７】
次に、ステップ６２に進んで開閉ドア５ａが開けられたかどうかを判断し、開閉ドア５ａが開けられたと判断するとステップ６３に進み、そうでないとステップ６２に戻って開閉ドア５ａが開けられたかどうかを監視する。この開閉ドア５aが開かれているかどうかは開閉ドア５ａに取り付けたスイッチ（図示せず）によって検出できる。
【００３８】
ステップ６２で開閉ドア５ａが開けられたと判断されるとステップ６３では送風ファン７を回転させる。この送風ファン７は定回転型のファンでも良いし、回転数が調整される可変型のファンでも良い。可変型の場合はできるだけ高回転数領域で回転するようにファンを駆動する電動機に駆動信号を送るようにする。
【００３９】
そして、図８に示すように開閉ドア５aを開けた状態で送風ファン７を動作させると、ドア開口５ｂから洗濯乾燥機１外部の空気を大量に外槽２及び回転ドラム３に吸い込むことができるようになる。
【００４０】
この開閉ドア５aを開けない場合は、乾燥風路８や乾燥風路１４を流れる空気量が限られているので乾燥風路８や乾燥風路１４を流れる空気の速度は通常の乾燥工程で必要な速度である。
【００４１】
ところが開閉ドア５aを開けた状態で送風ファン７を動作させると、ドア開口５ｂから洗濯乾燥機１外部の空気を大量に外槽２及び回転ドラム３に吸い込むことができるので、回転ドラム３から乾燥風路８や乾燥風路１４内を流れる空気の風速を上げることができる。
【００４２】
乾燥風路８や乾燥風路１４内を流れる空気の風速が上がることにより、乾燥風路８や乾燥風路１４内に停滞している糸くずがこの高速の空気によって剥ぎ取られて乾燥フィルタ９まで誘導され、乾燥フィルタ９で効果的に捕集することができる。
【００４３】
次にステップ６３を実行している状態でステップ６４に進んで送風ファン７の運転開始からの時間が所定の時間を越えたかどうかを判断している。所定時間を越えないと再びステップ６３に戻って送風ファン７の運転を継続し、所定時間を越えるとこの乾燥風路掃除モードが終了されるものである。
【００４４】
このように、開閉ドア５aを開けた状態で送風ファン７を動作させるので大量の空気を外槽２及び回転ドラム３に吸い込むことができる。このため、回転ドラム３から大量の空気が乾燥風路８や乾燥風路１４に流れこむので空気の風速を上げることができる。
【００４５】
乾燥風路８や乾燥風路１４内を流れる空気の風速が上がることにより、乾燥風路８や乾燥風路１４内に停滞している糸くずがこの高速の空気によって剥ぎ取られて乾燥フィルタ９まで誘導され、乾燥フィルタ９で効果的に捕集することができる。
【００４６】
本実施例によれば、乾燥風路内に停滞した糸くずを空気の速い流れに取り込むことができるので、この流れに乗った糸くずを乾燥フィルタで捕集、除去することができるようになる。このため乾燥風路内に糸くずが堆積するのを抑制できて雑菌やカビが発生するのを少なくできるようになる。
【００４７】
また、糸くずが大量に堆積してしまって乾燥風路の通路面積が狭くなったりすると乾燥空気の流通に支障をきたして乾燥時間が長くなったり、乾燥効果が低下する等の障害の要因となる恐れがあるが、これを未然に防ぐことが可能となる。特に乾燥風路８と乾燥風路１４の接続部の曲り部付近のような空気の流れがかわる部分で糸くずの堆積が顕著で、これによって通路面積の減少が懸念されていた。したがって、糸くずの堆積を未然に防ぐことで乾燥時間が長くなったり、乾燥効果が低下する等の障害をなくすことができるようになる。
【実施例２】
【００４８】
次に本発明の第２の実施形態について図９を用いて説明するが、実施例１と異なっているところは“乾燥風路掃除モード”を実行する時に開閉ドア５aを開かずに専用の補助開閉ドア１１aを開くようにした点である。
【００４９】
図９において、ステップ８０で乾燥風路掃除モードボタンが押されたどうかを判断し、乾燥風路掃除モードボタンが押されたと判断するとステップ８１に進み、そうでないとステップ８０に戻って乾燥風路掃除モードボタンが押されたどうかを監視する。
【００５０】
ステップ８０で乾燥風路掃除モードボタンが押されたと判断されると、ステップ８１では洗濯燥機１の下部に設けられた補助開口１１ｂを塞いでいる補助開閉ドア１１ａを開けるようにする。図１０に洗濯乾燥機の補助開閉ドア１１aが開かれた状態を示している。
【００５１】
補助開閉ドア１１aは電磁機構を利用した開閉機構を用いて開けられるように構成されており、制御装置から駆動信号がくると電磁機構が作動して補助開閉ドア１１aを開けることができる。
【００５２】
この開閉機構を用いない場合は音声案内装置によって、「乾燥風路掃除モードを実行します。補助開閉ドアを開けてください。」といった案内報知を行うことによって、使用者に補助開閉ドア１１aを開いてもらうようにしても良い。
【００５３】
次に、ステップ８２に進んで補助開閉ドア１１ａが開けられたかどうかを判断し、補助開閉ドア１１ａが開けられたと判断するとステップ８３に進み、そうでないとステップ８２に戻って補助開閉ドア１１ａが開けられたかどうかを監視する。この補助開閉ドア１１aが開かれているかどうかは補助開閉ドア１１ａに取り付けたスイッチ（図示せず）によって検出できる。
【００５４】
ステップ８２で補助開閉ドア１１ａが開けられたと判断されるとステップ８３では送風ファン７を回転させる。
【００５５】
そして、図１０に示すように補助開閉ドア１１aを開けた状態で送風ファン７を動作させると、補助開口１１ｂから洗濯乾燥機１外部の空気を補助吸気通路１２を介して大量に外槽２及び回転ドラム３に吸い込むことができるようになる。
【００５６】
この補助開閉ドア１１aを開けない場合は、乾燥風路８や乾燥風路１４を流れる空気量が限られているので乾燥風路８や乾燥風路１４を流れる空気の速度は通常の乾燥工程で必要な速度である。
【００５７】
ところが補助開閉ドア５aを開けた状態で送風ファン７を動作させると、補助開口５ｂから洗濯乾燥機１外部の空気を大量に補助吸気通路１２から外槽２及び回転ドラム３に吸い込むことができるので、回転ドラム３から乾燥風路８や乾燥風路１４内を流れる空気の風速を上げることができる。
【００５８】
乾燥風路８や乾燥風路１４内を流れる空気の風速が上がることにより、乾燥風路８や乾燥風路１４内に停滞している糸くずがこの高速の空気によって剥ぎ取られて乾燥フィルタ９まで誘導され、乾燥フィルタ９で効果的に捕集することができる。
【００５９】
次にステップ８３を実行している状態でステップ８４に進んで送風ファン７の運転開始からの時間が所定の時間を越えたかどうかを判断している。所定時間を越えないと再びステップ８３に戻って送風ファン７の運転を継続し、所定時間を越えるとこの乾燥風路掃除モードが終了されるものである。
【００６０】
このように、補助開閉ドア１１aを開けた状態で送風ファン７を動作させるので大量の空気を外槽２及び回転ドラム３に吸い込むことができる。このため、回転ドラム３から大量の空気が乾燥風路８や乾燥風路１４に流れこむので空気の風速を上げることができる。
【００６１】
乾燥風路８や乾燥風路１４内を流れる空気の風速が上がることにより、乾燥風路８や乾燥風路１４内に停滞している糸くずがこの高速の空気によって剥ぎ取られて乾燥フィルタ９まで誘導され、乾燥フィルタ９で効果的に捕集することができる。
【００６２】
また、実施例１では衣類を出し入れする開閉ドア５ａを乾燥風路掃除モードに使用する空気の取り入れ口としたが、実施例２では洗濯乾燥機１の下部に設けた補助開閉ドア１１ａを乾燥風路掃除モードに使用する空気の取り入れ口とした。このため、外径が大きい開閉ドア５aの駆動機構に対して駆動機構を小型にできる長所がある。
【００６３】
また、洗濯乾燥機１の周囲の床を掃除する時に外径の大きな開閉ドア５aを開いていると掃除の邪魔になるが、補助開閉ドア１１aを採用すると洗濯乾燥機の下部に設けられるので掃除の邪魔にならないといった長所もある。
【００６４】
尚、補助開閉ドア１１ａ、補助開口１１ｂは洗濯乾燥機１の正面下部に設けているが、この他に側面や裏面に設けても良いものである。
【実施例３】
【００６５】
次に本発明の第３の実施形態について図６を用いて説明するが、実施例１及び実施例２と異なっているところは吸気弁１０aの開閉位置である。
【００６６】
実施例１及び実施例２に示した乾燥風路掃除モードでは、切換弁１０ａの開閉位置は図４に示した位置であるが、図１０に示す実施例では、切換弁１０ａは切換弁開口１０ｂを塞ぐ位置から乾燥風路８を塞ぐ位置の間の中間の位置に開かれていることである。尚、乾燥風路掃除モードの基本的な動作は実施例１及び実施例２と同様である。
【００６７】
本実施例において、吸気弁１０aを半開の状態で送風ファン７を動作させると、乾燥風路８と乾燥風路１４の接続部付近の空気の通り道が狭くなり風速を上げることができる。風速が上がることにより、乾燥風路８及び乾燥風路１４内に停滞した糸くずを乾燥フィルタ９まで誘導でき、乾燥フィルタ９で効果的に捕集することができる。
【００６８】
尚、乾燥風路８と乾燥風路１４の接続部付近は曲りがあるのでこの部分で糸くずの停滞が発生しやすいが、本実施例では乾燥風路８と乾燥風路１４の接続部付近の空気の通り道を狭くして曲り部分の風速を上げることによって効率的に糸くずを剥離することができる効果が期待できる。
【００６９】
また、筐体４の内部からも空気が供給されるので、例えば実施例２にある補助開閉ドア１１aから供給される空気が少ない場合は、これに加えて空気を供給できるので更に乾燥風路８や乾燥風路１４を流れる空気の速度を上げることができる。
【実施例４】
【００７０】
次に本発明の第４の実施形態について説明する。実施例１及び実施例２及び実施例３では乾燥風路掃除モードボタンという外部入力によって乾燥風路掃除モードを実行したが、本実施例では乾燥風路掃除モードを乾燥工程の終了後に行うようにした点で異なっている。
【００７１】
図面を用いて説明はしないが、洗濯乾燥機１の操作パネル部に少なくとも乾燥工程が終了すると乾燥風路掃除モードを追加する掃除モード追加設定ボタンを設け、この掃除モード追加設定ボタンによって実施例１、実施例２、及び実施例３のいずれかに示す乾燥風路掃除モードを少なくとも乾燥工程が終了すると実行するものである。
【００７２】
したがって、制御装置内のコンピュータは乾燥工程が終了すると強制的に図７や図９の乾燥風路掃除モードのフローチャートを起動するように動作する。
【００７３】
この場合は、実施例１或いは実施例２のステップ６０或いはステップ８０の判断ステップを「乾燥工程が終了したかどうか」という判断ステップに変更すれば良いものである。
【００７４】
したがって、乾燥工程が終了すると実施例１或いは実施例２の各ステップが実行されて、乾燥風路８や乾燥風路１４内を流れる空気の風速が上がることにより、乾燥風路８や乾燥風路１４内に停滞している糸くずがこの高速の空気によって剥ぎ取られて乾燥フィルタ９まで誘導され、乾燥フィルタ９で効果的に捕集することができる。
【００７５】
また、乾燥工程が終了した直後なので糸くずは乾燥風路８や乾燥風路１４に剥離しやすい状態で停滞しており、乾燥風路８や乾燥風路１４内を流れる高速の空気によって糸くずが容易に剥ぎ取られて乾燥フィルタ９まで誘導され、乾燥フィルタ９で効果的に捕集することができる。
【００７６】
以上説明した通り、本発明によれば乾燥風路の糸くずを取り除く場合に乾燥風路を流れる乾燥空気の速度を増速し、この速められた乾燥空気の流れで乾燥風路に停滞した糸くずを剥離して乾燥空気に取り込んで乾燥フィルタで捕集、除去することができる。このため乾燥風路内に糸くずが堆積するのを抑制できて雑菌やカビが発生するのを少なくできるようになる。
【符号の説明】
【００７７】
１…洗濯乾燥機、２…外槽、３…回転ドラム、４…筐体、５a…開閉ドア、５b…ドア開口、６…ヒータ、７…送風ファン、８…乾燥風路、９…乾燥フィルタ、１０a…切換弁、１０b…切換弁開口、１１a…補助開閉ドア、１１b…補助開口、１２…補助吸気経路、１３…排水ホース、１４…乾燥風路、１５…噴出口。
【図１】
2013255531.tif 000003
【図２】
2013255531.tif 000004
【図３】
2013255531.tif 000005
【図４】
2013255531.tif 000006
【図５】
2013255531.tif 000007
【図６】
2013255531.tif 000008
【図７】
2013255531.tif 000009
【図８】
2013255531.tif 000010
【図９】
2013255531.tif 000011
【図１０】
2013255531.tif 000012